(57)【要約】【課題】様々な場面での利便性を向上させることが可能な給湯機を提供する。【解決手段】貯湯タンク１１と、貯湯タンク１１に貯留された湯水を湯に沸き上げるヒートポンプユニット３と、ヒートポンプユニット３を制御する制御装置４０と、制御装置４０と通信するリモートコントローラ５０と、貯湯タンク１１に貯留した湯を浴槽６０に供給することで湯はり運転を実行する湯はり手段と、湯はり運転の終了後、浴槽６０に貯留された浴槽水を追いだき運転することで保温する保温手段と、を備え、リモートコントローラ５０は、保温手段による保温中、次回の追いだき運転が開始されるまでの残り時間をカウントダウン表示する表示部を備える。【選択図】図１
2014074575.tif 000002
【特許請求の範囲】
【請求項１】
貯湯タンクと、
前記貯湯タンクに貯留された湯水を湯に沸き上げる熱源機と、
前記熱源機を制御する制御装置と、
前記制御装置と通信するリモートコントローラと、
前記貯湯タンクに貯留した湯を浴槽端末に供給することで湯はり運転を実行する湯はり手段と、
前記湯はり運転の終了後、前記浴槽端末に貯留された浴槽水を追いだき運転することで保温する保温手段と、を備え、
前記リモートコントローラは、前記保温手段による保温中、次回の追いだき運転が開始されるまでの残り時間をカウントダウン表示する表示部を備えることを特徴とする給湯機。
【請求項２】
前記リモートコントローラは、前記残り時間を変更する操作手段を備えることを特徴とする請求項１に記載の給湯機。
【請求項３】
前記表示部は、前記残り時間と、前回の追いだき運転と次回の追いだき運転との間のインターバル時間の双方を同時に、または交互に切り替えて表示することを特徴とする請求項１または請求項２に記載の給湯機。
【発明の詳細な説明】
【技術分野】
【０００１】
本発明は、タンク式の給湯機に関する。
【背景技術】
【０００２】
給湯機は、浴槽に湯はりされた湯を時間間隔を置いて追いだき運転することで、浴槽内の湯を所定温度に維持する保温運転を実行する機能を備えている。例えば、追いだき運転に要した時間または熱量に基づいて追いだき運転の時間間隔（インターバル時間）を増減する技術が提案されている（特許文献１参照）。
【先行技術文献】
【特許文献】
【０００３】
【特許文献１】特開平１１−１９３９５６号公報
【発明の概要】
【発明が解決しようとする課題】
【０００４】
ところで、ユーザの省エネ志向の高まりにより、省エネの機能が動作しているのか否かをユーザが実際に確認できることが求められている。例えば、追いだき運転のインターバル時間をリモコンに表示させることが提案されているが、追いだき運転のインターバル時間を単にリモコンに表示させるだけでは、追いだき運転がいつ作動するのか確認することができず不便であった。また、追いだき運転に不具合が発生した場合にも、点検時に追いだき運転がいつ作動するのか確認することができず、不具合の確認作業が面倒であった。
【０００５】
本発明は、様々な場面での利便性を向上させることが可能な給湯機を提供することを課題とする。
【課題を解決するための手段】
【０００６】
本発明は、貯湯タンクと、前記貯湯タンクに貯留された湯水を湯に沸き上げる熱源機と、前記熱源機を制御する制御装置と、前記制御装置と通信するリモートコントローラと、前記貯湯タンクに貯留した湯を浴槽端末に供給することで湯はり運転を実行する湯はり手段と、前記湯はり運転の終了後、前記浴槽端末に貯留された浴槽水を追いだき運転することで保温する保温手段と、を備え、前記リモートコントローラは、前記保温手段による保温中、次回の追いだき運転が開始されるまでの残り時間をカウントダウン表示する表示部を備えることを特徴とする。
【発明の効果】
【０００７】
本発明によれば、様々な場面での利便性を向上させることが可能な給湯機を提供できる。
【図面の簡単な説明】
【０００８】
【図１】本実施形態に係る給湯機を示す全体構成図である。
【図２】本実施形態に係る給湯機における制御装置とリモートコントローラとの関係を示すブロック図である。
【図３】リモコンのパネル構成の一例を示す構成図である。
【図４】湯はり運転時の制御を示すフローチャートである。
【図５】保温運転時の制御を示すフローチャートである。
【図６】追いだき時間の設定変更画面の表示例を示す図である。
【図７】保温運転時のリモコン画面の表示例を示す図である。
【図８】メンテナンス時の保温運転に関するリモコン画面の表示例を示す図である。
【発明を実施するための形態】
【０００９】
以下、本実施形態に係る給湯機１について図１ないし図８を参照して説明する。まず、給湯機１の全体の構成について図１を参照して説明する。なお、以下では、直圧式の給湯機１を例に挙げて説明するが、直圧式でない給湯機に適用してもよい。
【００１０】
図１は、本実施形態に係る給湯機を示す全体構成図である。
図１に示すように、給湯機１は、いわゆる電気給湯機であり、貯湯ユニット２、ヒートポンプユニット３（熱源機）、リモートコントローラ５０を含んで構成されている。
【００１１】
貯湯ユニット２は、湯水を貯湯する貯湯タンク１１、一般給湯回路２０、浴槽給湯回路３０、制御装置４０を備えている。
【００１２】
ヒートポンプユニット３は、貯湯タンク１１から取り出した水の沸き上げなどに用いるものであり、例えば、冷媒（例えば、二酸化炭素）を圧縮して高温・高圧にする圧縮機と、圧縮機からの冷媒を凝縮させるとともに貯湯タンク１１からの水を冷媒と熱交換することによって加熱する凝縮器（水熱交換器）と、凝縮器からの冷媒を膨張（減圧）させる膨張弁と、大気中の熱を吸熱して膨張した冷媒を蒸発させる蒸発器（空気熱交換器）と、を備えて構成されている。
【００１３】
なお、本実施形態では、熱源機として、ヒートポンプユニット３を例に挙げて説明したが、これに限定されるものではなく、ヒートポンプユニット３に替えて貯湯タンク１１内に電気ヒータ（熱源機）を設ける構成であってもよい。これにより、給湯機１の製造コストを下げることができる。
【００１４】
貯湯タンク１１は、例えば、ステンレス鋼などの材料によって、円筒形状の胴板と、この胴板の上部の開口を覆う上部鏡板と、胴板の下部開口を覆う下部鏡板との３部材を組み合わせて構成されたものである。
【００１５】
貯湯タンク１１の下部１１ａは、配管１２ａ、三方弁１３、配管１２ｂを介してヒートポンプユニット３の導入口３ａに接続されている。貯湯タンク１１の上部１１ｂは、配管１２ｃを介してヒートポンプユニット３の導出口３ｂと接続されている。また、配管１２ｃには、貯湯タンク１１をバイパスするバイパス配管１２ｄが分岐して接続され、このバイパス配管１２ｄが三方弁１３と接続されている。
【００１６】
ちなみに、貯湯タンク１１内の温水の温度は、例えば、貯湯タンク１１内の下部から上部にわたって、相対的に低温、中温、高温の温度分布となっている。なお、高温水（高温度の水）とは、例えば６５℃から９０℃の温度範囲のものを意味している。ただし、前記した温度範囲に限定されるものではない。
【００１７】
これにより、貯湯タンク１１の下部１１ａから導出された湯水（例えば、低温水）は、配管１２ａ，１２ｂを介してヒートポンプユニット３で加熱されて温水（例えば、高温水）となった後、配管１２ｃを介して貯湯タンク１１の上部１１ｂに導かれ、貯湯タンク１１内に貯湯される。
【００１８】
また、貯湯タンク１１には、上流から順に、給水源と接続される水道管１４、配管１５ａ、ストレーナＳＴ、配管１５ｂ、逆止弁ＣＶ１、配管１５ｃ、減圧弁Ｖ１、配管１５ｄ、逆止弁ＣＶ２、配管１５ｅを介して貯湯タンク１１の下部１１ａに接続されるように構成されている。また、配管１５ｃには、給水温度センサＴＳ１が設けられている。また、水道管１４は、配管１６を介して後記する一般給湯端末２１と接続されている。
【００１９】
また、貯湯タンク１１には、鉛直方向（図１の上下方向）に沿って、貯湯される温水の温度を検出する複数のタンク温度センサＴＳ２が上部から下部に間隔を置いて配置されている。これらのタンク温度センサＴＳ２によって検出された貯湯タンク１１内の温水の温度を示す検出信号は、制御装置４０に出力され、給湯機１の各種の制御に使用される。
【００２０】
一般給湯回路２０は、台所、洗面所、風呂場などの蛇口やシャワー等の一般給湯端末２１に給湯するものであり、供給された湯を一度利用して完了するような利用形態のものを意味している。なお、図１に示す一般給湯端末２１は、湯と、配管１６からの水（水道水）とを混合して出湯温度を調節可能な混合栓である。
【００２１】
また、一般給湯回路２０は、水道管１４からの水道水を、減圧弁で減圧せずに一般給湯端末２１に供給するものであり（水道直圧給湯）、上流側から順に、配管２０ａ、給湯熱交換器１７、配管２０ｂ、アキュムレータ２２、配管２０ｃを備えて構成されている。また、配管２０ｂには、上流側から順に、給湯温度センサＴＳ３、給湯流量センサＦＳ１が設けられている。また、配管２０ａの上流端は、配管１５ｃの給水温度センサＴＳ１と減圧弁Ｖ１との間に接続されている。
【００２２】
給湯熱交換器１７は、水道管１４から供給される水道水を、貯湯タンク１１内の湯水と熱交換することで加熱するものである。また、給湯熱交換器１７で熱を与える側の導入口は、配管１８ａを介して貯湯タンク１１の上部１１ｃと接続されている。また、熱を与える側の導出口は、上流側から順に、配管１８ｂ、給湯循環ポンプＰ１、配管１８ｃ、逆止弁ＣＶ３、配管１８ｄを介して貯湯タンク１１の下部１１ｄと接続されている。
【００２３】
給湯循環ポンプＰ１は、制御装置４０が、給湯流量センサＦＳ１によって検出された流量と給湯温度センサＴＳ３によって検出された給湯温度とに基づいて、リモートコントローラ５０で設定された給湯温度となるように給湯循環ポンプＰ１のモータの回転速度を制御する。これにより、給湯熱交換器１７での熱交換率（加熱量）が制御される。
【００２４】
浴槽給湯回路３０は、浴槽６０に湯はりするための湯はり回路３１と、浴槽６０に貯留された浴槽水を追いだきする追いだき回路３２と、を有している。なお、本実施形態では、湯はり回路３１と制御装置４０とで湯はり手段が構成され、追いだき回路３２と制御装置４０とで保温手段が構成されている。
【００２５】
湯はり回路３１は、配管１８ａと浴槽６０のアダプタＡＤの一端とが、上流側から順に、配管３１ａ、逆止弁ＣＶ４、配管３１ｂ、風呂混合弁Ｖ２、配管３１ｃ、風呂電磁弁Ｖ３、配管３１ｄ、逆止弁ＣＶ５、配管３１ｅ、逆止弁ＣＶ６、配管３１ｆを介して接続されることで構成されている。また、湯はり回路３１は、配管１５ｄの途中と風呂混合弁Ｖ２とが、上流側から順に、配管３１ｇ、逆止弁ＣＶ７、配管３１ｈを介して接続されることで構成されている。
【００２６】
風呂混合弁Ｖ２は、制御装置４０が、配管３１ａ，３１ｂからの湯（高温水）と配管３１ｇ，３１ｈからの水（低温水）との混合比率を制御することで、リモートコントローラ５０で設定された風呂温度となるように構成されている。
【００２７】
風呂電磁弁Ｖ３は、制御装置４０によって浴槽６０の湯はり時に開弁されるＯＮ／ＯＦＦ式の弁（遮断弁）である。
【００２８】
また、湯はり回路３１の配管３１ｅには、風呂流量センサＦＳ２が設けられ、逆止弁ＣＶ６からアダプタＡＤに至る配管３１ｆには、上流側から順に、水位センサＬＳ、風呂戻り温度センサＴＳ４が設けられている。また、湯はり回路３１には、配管３１ｃと配管３１ｅとに跨って接続される逆流防止装置３６が設けられている。この逆流防止装置３６は、例えば、二次側（浴槽６０側）から一次側への逆流を防止するものであり、浴槽６０からの逆流水を外部に排出する排水管を備えている。
【００２９】
このように、湯はり回路３１では、貯湯タンク１１内の湯を直接に使用することにより、熱交換によって給湯を行う場合よりも熱効率を高めることができる。
【００３０】
追いだき回路３２は、追いだき熱交換器３３の導入口３３ａと配管３１ｆとが、上流側から順に、配管３４ａ、風呂循環ポンプＰ２、配管３４ｂ、水流スイッチＦＳＷ、配管３４ｃ、循環調整弁Ｖ４、配管３４ｄを介して接続されることで構成されている。また、配管３４ａの上流端は、配管３１ｆの逆止弁ＣＶ６と水位センサＬＳとの間に接続されている。
【００３１】
また、追いだき回路３２は、追いだき熱交換器３３の導出口３３ｂと浴槽６０のアダプタＡＤの他端とが配管３４ｅを介して接続されることで構成されている。また、追いだき回路３２には、追いだき熱交換器３３をバイパスする配管３４ｆが、循環調整弁Ｖ４と配管３４ｅとを接続するように構成されている。また、配管３４ｅには、配管３４ｆの接続点と導出口３３ｂとの間に追いだき温度センサＴＳ５が設けられている。
【００３２】
追いだき熱交換器３３は、コイル状に巻回して構成されたものであり、貯湯タンク１１内の上部に配設され、追いだき熱交換器３３内を流れる浴槽水と、貯湯タンク１１内の湯とで熱交換できるように構成されている。
【００３３】
なお、本実施形態では、追いだき回路３２として、追いだき熱交換器３３を備える場合を例に挙げて説明したが、これに限定されるものではなく、追いだき熱交換器３３に替えて電気ヒータなど他の追いだき用の加熱手段を備えていてもよい。
【００３４】
循環調整弁Ｖ４は、制御装置４０によって開度が調整されることで、配管３４ｆ側への流量と追いだき熱交換器３３側への流量を調整する機能を有している。
【００３５】
風呂循環ポンプＰ２は、制御装置４０によって駆動されることにより、浴槽６０に貯留された浴槽水を配管３１ｆ，３４ａを介して吸引し、配管３４ｂ，３４ｃを介して循環調整弁Ｖ４に向けて吐出するように構成されている。
【００３６】
水流スイッチＦＳＷは、流体（例えば、浴槽水）が流れることでＯＮになり、流体の流れが無くなることでＯＦＦになる機構を備えたスイッチである。このときのＯＮ信号は、制御装置４０に出力される。
【００３７】
なお、図１に示す逆止弁ＣＶ１〜ＣＶ７は、図中矢印で示す方向の流れのみを許容する弁である。また、配管１８ａには、逃がし弁（不図示）を備えた配管１８ｅが分岐して接続されている。また、配管１８ｄには、貯湯タンク１１内の湯水を外部に排出するための排水弁（不図示）を備えた排水管１８ｆが分岐して接続されている。
【００３８】
また、本実施形態では、給水源として水道水の場合を例に挙げて説明したが、水道水に限定されるものではなく、井戸水などであってもよい。
【００３９】
図２は、本実施形態に係る給湯機における制御装置とリモートコントローラとの関係を示すブロック図である。
図２に示すように、制御装置４０は、ＣＰＵ、ＲＯＭ、ＲＡＭ、入出力インターフェイスなどで構成され本体側マイコン（マイクロコンピュータ）４１、本体側データ記憶手段４２、通信部４３などを備えている。
【００４０】
本体側データ記憶手段４２は、本体側マイコン４１での制御用データが記憶されている。なお、制御用データとは、例えば、設定類のデータであり、風呂の初期データ、後記する基準水位、所定期間（例えば、１週間）の熱量データ、給湯の設定、風呂の設定、沸き上げの設定などに関するデータである。通信部４３は、制御装置４０を構成する基板の外部（リモートコントローラ５０）とで通信を行う機能を有している。
【００４１】
また、制御装置４０は、各タンク温度センサＴＳ２で検出されたタンク内温度（検出値）、給湯流量センサＦＳ１および風呂流量センサＦＳ２で検出された流量（検出値）、水位センサＬＳで検出された浴槽６０の水位（検出値）、給水温度センサＴＳ１、給湯温度センサＴＳ３、風呂戻り温度センサＴＳ４および追いだき温度センサＴＳ５で検出された温度（検出値）、水流スイッチＦＳＷで検出されたＯＮ信号をそれぞれ取得する。また、制御装置４０は、後記する風呂リモコン５１からの各種操作信号、台所リモコン５２からの各種操作信号を取得する。
【００４２】
リモートコントローラ５０は、例えば風呂リモコン５１と台所リモコン５２とで構成され、制御装置４０と接続されている。風呂リモコン５１および台所リモコン５２は、それぞれ、人為操作を行う操作部５３、各種情報を表示する表示部５４、各種動作を制御するリモコン側マイコン５５、前記通信部４３と通信を行う通信部５６などを備えている。
【００４３】
図３は、リモコンのパネル構成の一例を示す構成図である。
図３に示すように、風呂リモコン５１は、操作部５３および表示部５４を備え、浴室内の所定の位置（例えば、浴槽６０の位置よりも所定以上の高さ）に取り付けられる。なお、台所リモコン５２についても、操作部および表示部を備え、台所の所定の位置に取り付けられる。
【００４４】
操作部５３は、例えば、風呂リモコン５１の電源投入用のリモコン切／入ボタン５３ａ、浴槽６０の湯はりを開始するふろ自動ボタン（湯はり開始ボタン）５３ｂ、上下左右の方向ボタン５３ｃ、決定ボタン５３ｄなど各種の操作ボタンを備えている。
【００４５】
表示部５４は、液晶パネルなどで構成され、例えば、現在時刻、浴槽６０の風呂設定温度、設定水位、給湯設定温度、貯湯タンク１１内の状態などがメイン画面として表示される。なお、表示部５４は、液晶パネルに限定されるものではなく、光源として発光ダイオードを用いて表示させるものであってもよい。
【００４６】
次に、本実施形態に係る給湯機１の湯はり運転について図４を参照（適宜、図１ないし図３を参照）して説明する。図４は、湯はり運転時の制御を示すフローチャートである。
【００４７】
まず、利用者（ユーザ）が風呂リモコン５１に設けられたふろ自動ボタン５３ｂを押圧操作すると、制御装置４０は、風呂リモコン５１からの湯はり開始信号を取得し、ステップＳ１０において、浴槽６０に残水無しか否かを判定する。制御装置４０は、残水無しと判定した場合には（Ｓ１０、Ｙｅｓ）、ステップＳ２０に進み、また残水有りと判定した場合には（Ｓ１０、Ｎｏ）、ステップＳ７０に進む。
【００４８】
この残水有無の判定において、制御装置４０は、循環調整弁Ｖ４の開度を調整して配管３４ｃと配管３４ｆとを連通させた状態（流体の全量が配管３４ｃから配管３４ｆに流れる状態）で、風呂循環ポンプＰ２を所定時間（例えば、２０秒）駆動させる。これにより、制御装置４０が水流スイッチＦＳＷがオンではないと判定すると、浴槽６０に残水が無いと判定し、逆に水流スイッチＦＳＷがオンであると判定すると、浴槽６０に残水が有ると判定する。
【００４９】
ステップＳ２０において、制御装置４０は、基準水量まで浴槽６０へ給湯する。なお、基準水量とは、浴槽６０のアダプタＡＤの全体が浸かるまでの水量である。すなわち、制御装置４０は、風呂電磁弁Ｖ３を開弁するとともに、貯湯タンク１１からの湯と水道管１４からの水との混合比率が、風呂リモコン５１で設定された風呂温度（設定温度）となるように風呂混合弁Ｖ２の開度を調整して浴槽６０に給湯する。また、基準水量の湯が浴槽６０に供給されたか否かは、風呂流量センサＦＳ２によって判定される。制御装置４０は、基準水量の湯を供給後、風呂電磁弁Ｖ３を閉弁する。
【００５０】
そして、ステップＳ３０に進み、制御装置４０は、再び浴槽６０に残水無しか否かを判定する。制御装置４０は、残水無しと判定した場合には（Ｓ３０、Ｙｅｓ）、ステップＳ４０に進み、また残水有りと判定した場合には（Ｓ３０、Ｎｏ）、ステップＳ７０に進む。ステップＳ３０においても、ステップＳ１０と同様に、風呂循環ポンプＰ２を所定時間駆動して判定する。
【００５１】
なお、このとき、循環調整弁Ｖ４は、ステップＳ１０の場合と同様に、配管３４ｃと配管３４ｆとが連通する状態に設定されている。これにより、制御装置４０が、水流スイッチＦＳＷがオンではないと判定すると、浴槽６０に残水が無いと判定し、逆に水流スイッチＦＳＷがオンであると判定すると、浴槽６０に残水が有ると判定する。
【００５２】
ステップＳ４０において、制御装置４０は、浴槽６０に所定水量の湯を給湯する。所定水量は、例えば、２０リットルに設定される。このとき浴槽６０に給湯を行うには、ステップＳ２０と同様に、風呂電磁弁Ｖ３を開弁するとともに、風呂リモコン５１で設定された風呂温度となるように風呂混合弁Ｖ２が制御されて貯湯タンク１１からの湯と水道管１４からの水との混合比率が調整される。なお、所定水量が給湯されたか否かは、風呂流量センサＦＳ２によって判定される。制御装置４０は、所定水量を給湯後、風呂電磁弁Ｖ３を閉弁する。
【００５３】
そして、ステップＳ５０に進み、制御装置４０は、再び浴槽６０に残水無しか否かを判定する。制御装置４０は、残水無しと判定した場合には（Ｓ５０、Ｙｅｓ）、ステップＳ６０に進み、残水有りと判定した場合には（Ｓ５０、Ｎｏ）、ステップＳ７０に進む。
【００５４】
ステップＳ６０において、制御装置４０は、浴槽６０の底に設けられた栓が抜けていることを示す「栓抜けエラー」を発報して、湯はり運転を終了する。なお、「栓抜けエラー」は、ユーザに対して音声やブザー（警告音）で知らせるものであってもよく、表示部５４にその旨を表示してもよく、またはこれらを組み合わせてもよい。
【００５５】
ステップＳ１０、ステップＳ３０およびステップＳ５０で残水有りと判定されると、ステップＳ７０に進み、制御装置４０は、浴槽６０の水位をチェックする。なお、浴槽６０の水位は、水位センサＬＳによって検出される。
【００５６】
そして、ステップＳ８０に進み、制御装置４０は、ステップＳ７０で検出した浴槽６０の現在の水位と、風呂リモコン５１に設定されている湯はり終了時の水位（設定水位）とを比較して、現在の水位から設定水位までに必要な追加給湯量と、追加湯温とを算出する。
【００５７】
そして、ステップＳ９０に進み、制御装置４０は、ステップＳ８０で算出された追加給湯量を追加湯温にて浴槽６０へ給湯する。すなわち、風呂電磁弁Ｖ３を開弁するとともに、追加湯温となるように風呂混合弁Ｖ２での湯（高温水）と水（低温水）との混合率を調整する。
【００５８】
追加給湯量を追加湯温にて給湯後、ステップＳ１００において、制御装置４０は、風呂リモコン５１の設定温度を比較し、浴槽６０の湯の温度補正を実施する。すなわち、制御装置４０は、風呂戻り温度センサＴＳ４によって検出した浴槽６０の現在の温度と、風呂リモコン５１に設定された風呂温度（設定温度）とを比較し、設定温度に対して所定の温度範囲外であれば、温度補正を実行する。なお、所定の温度範囲は、例えば、プラスマイナス１℃に設定される。この温度補正が完了した時点で湯はり運転が終了する。
【００５９】
なお、湯はり運転時には、風呂混合弁Ｖ２および風呂電磁弁Ｖ３を通って供給された湯は、配管３１ｆを通ってアダプタＡＤの一端を介して浴槽６０に供給されるとともに、配管３１ｆに分岐して接続された配管３４ａ、配管３４ｂ，３４ｃ，３４ｆおよび配管３４ｅの一部を通ってアダプタＡＤの他端を介して浴槽６０に供給されるようになっている。これにより、湯はりに要する時間を短縮できる。
【００６０】
次に、本実施形態に係る給湯機１の保温運転について図５ないし図７を参照（適宜、図１ないし図３を参照）して説明する。図５は保温運転時の制御を示すフローチャート、図６は追いだき時間の設定変更画面の表示例を示す図、図７は保温運転時のリモコン画面の表示例を示す図である。
【００６１】
なお、保温運転とは、浴槽６０内にはられた湯（浴槽水）を、時間間隔を置いて追いだき運転（加熱運転）を自動で行うことで、設定された風呂温度を維持する運転を意味する。なお、保温運転は、風呂リモコン５１にて保温時間が設定されている場合に作動する。例えば、保温時間が２時間に設定されている場合には、湯はり運転終了後から２時間後まで保温運転が実行される。
【００６２】
ステップＳ１１０において、制御装置４０は、湯はり運転が終了してから所定時間Ｔが経過したか否かを判定する。制御装置４０は、所定時間Ｔが経過していないと判定した場合には（Ｓ１１０、Ｎｏ）、ステップＳ１２０に進み、所定時間Ｔが経過していると判定した場合には（Ｓ１１０、Ｙｅｓ）、ステップＳ１６０に進む。
【００６３】
なお、所定時間Ｔは、浴槽水が設定温度を下回って追いだきを必要とする時間であり、風呂リモコン５１に設定されている初期値（例えば、１５分）に設定される。なお、初回の所定時間Ｔは、湯はり運転終了から第１回目の追いだき運転が開始されるまでの時間間隔である。なお、一度、追いだき運転が開始された２回目以降の所定時間Ｔは、前回の追いだき運転と次回の追いだき運転との間の時間間隔（インターバル時間）となる。また、所定時間（インターバル時間）Ｔは、本体側データ記憶手段４２に記憶され、本体側マイコン４１が必要に応じて読み込むようになっている。
【００６４】
ステップＳ１２０において、制御装置４０は、次回の追いだき時間が変更されたか否かを判定する。すなわち、ユーザが風呂リモコン５１を操作して、次回の追いだき時間の残り時間を変更したか否かを判定する。ステップＳ１２０において、制御装置４０は、次回の追いだき時間が変更されたと判定した場合には（Ｙｅｓ）、ステップＳ１３０に進み、次回の追いだき時間が変更されていないと判定した場合には（Ｎｏ）、ステップＳ１４０に進む。
【００６５】
例えば、図６に示すように、風呂リモコン５１の表示部５４には、風呂リモコン５１の操作部５３に対して所定の操作（例えば、メニュー画面を表示させて、対応する項目を選択する）を行うことにより次回の追いだき時間を変更する設定変更画面が表示される。この設定変更画面には、次回の追いだき運転が開始されるまでの残り時間が表示される。図６に示す設定変更画面から、操作部５３の上下の方向ボタン５３ｃを操作することにより、残り時間を延長または短縮することができ、設定変更後に決定ボタン５３ｄを操作することにより、次回の追いだき時間の変更が確定される。残り時間の変更が確定されると、残り時間に関する信号が、通信部５６と制御装置４０の通信部４３とを介して本体側データ記憶手段４２に送られて記憶され、変更された残り時間に基づいて保温運転が継続される。
【００６６】
具体的には、図６に示す画面を表示させた後、操作部５３の上向きの方向ボタン５３ｃを押下げした場合、次回の追いだき時間が３０分であったときに、３１分→３２分→・・・と１分刻みで変更することができる。なお、変更可能な時間は、１分刻みに限定されるものではなく、１秒刻み、２分刻み、５分刻み、１０分刻み、または１時間刻みなどであってもよい。また、操作部５３の下向きの方向ボタン５３ｃを押下げした場合は、次回の追いだき時間が３０分であったときに、２９分→２８分→・・・と１分刻みで変更することができる。また、この場合も、１分刻みに限定されるものではなく、１秒刻み、２分刻み、５分刻み、１０分刻み、または１時間刻みなどであってもよい。
【００６７】
例えば、現在表示されている残り時間よりも後に入浴を予定している場合には、その入浴時間に合わせて、残り時間が現在の残り時間よりも長くなるように上向きの方向ボタン５３ｃを操作して設定変更する。このように、次回追いだきまでの残り時間を延長（増加）することにより、入浴が行われるまでの間に無駄に追いだき運転が行われることがなくなるので、例えば風呂循環ポンプＰ２を無駄に駆動させたりすることがなくなり、省エネを図ることが可能になる。
【００６８】
また、現在表示されている残り時間よりも前に入浴を予定している場合には、その入浴時間に合わせて、残り時間が現在の残り時間よりも短くなるように下向きの方向ボタン５３ｃを操作して設定変更する。このように、次回追いだきまでの残り時間を短縮することにより、入浴時に風呂温度が低すぎるといった不都合を防止できる。
【００６９】
図５に戻り、ステップＳ１３０において、制御装置４０は、所定時間ＴをＴ±αに設定変更する。なお、αは、増減された時間であり、αが加算された場合には所定時間Ｔが延長され、αが減算された場合には所定時間Ｔが短縮される。例えば、所定時間Ｔが１５分である場合、１０分経過後に、３０分延長されたときには、（１５分−１０分）＋３０分＝３５分となり、３５分が新たな所定時間Ｔ（次回の追いだき運転が開始されるまでの残り時間）として設定される。また、所定時間Ｔが１５分である場合、３分経過後に１０分短縮されたときには、（１５分−３分）−１０分＝２分となり、２分が新たな所定時間Ｔ（次回の追いだき運転が開始されるまでの残り時間）として設定される。また、次回の追いだきまでの時間が変更されて確定した場合には（Ｓ１２０、Ｙｅｓ、Ｓ１３０）、所定時間（Ｔ）のカウントダウン処理を一度リセットして、新たに設定された所定時間（Ｔ±α）に基づいてカウントダウン処理を実行する。
【００７０】
一方、次回追いだき時間が変更されていない場合には、ステップＳ１４０において、制御装置４０は、所定時間ＴをＴ−１とする。例えば、所定時間Ｔが１５分である場合、１分が経過しているときには、１５分−１分＝１分、２分が経過しているときには、１５分−２分＝１３分、３分が経過しているときには、１５分−３分＝１２分、・・・、とカウントダウンするように、次回の追いだき運転が開始されるまで実行される。
【００７１】
そして、ステップＳ１５０に進み、制御装置４０は、次回の追いだき運転開始までの残り時間を表示部５４に表示する。つまり、次回の追いだき運転開始の時間が変更された場合には、表示部５４に、変更後の追いだき開始までの残り時間が表示され、時間の経過とともに、カウントダウン表示される。また、次回の追いだき運転開始の時間が変更されていない場合には、表示部５４に、時間の経過とともにカウントダウン表示される。なお、カウントダウン表示は、例えば、１分刻み（１５分→１４分・・・２分→１分）で切り替わる。
【００７２】
例えば、図７に示すように、表示部５４には、次回の追いだき運転が開始されるまでの残り時間が表示される。なお、図７に示す画面は、保温中連続的に表示させてもよく、または図３に示すメイン画面と交互に表示させてもよく、または操作部５３の所定操作によって表示させてもよく、または図３に示すメイン表示画面に組み込んで一緒に表示させてもよく、適宜変更することができる。または、図７に示す画面とともに風呂リモコン５１に設けられたスピーカを介して残り時間を音声で知らせるようにしてもよい。
【００７３】
このように、次回の追いだき開始までの残り時間を自由に変更できることによって、ユーザの入浴時間に合わせて追いだき運転を実行させるといった追いだきの予約機能としても活用することができ、ユーザに対する利便性を向上させることができる。
【００７４】
一方、ステップＳ１１０において、制御装置４０は、所定時間Ｔが経過したと判定した場合には（Ｙｅｓ）、ステップＳ１６０に進み、風呂循環ポンプＰ２をＯＮする（駆動を開始する）。すなわち、制御装置４０は、循環調整弁Ｖ４の開度を調整して配管３４ｃと配管３４ｆとを連通させた状態で、風呂循環ポンプＰ２を所定時間ＯＮにする。これにより、浴槽６０内の浴槽水が、配管３１ｆの一部、配管３４ａ，３４ｂ，３４ｃ，３４ｆ、配管３４ｅの一部を通るようにして循環する。なお、所定時間は、例えば１分に設定される。
【００７５】
そして、ステップＳ１７０に進み、制御装置４０は、風呂戻り温度センサＴＳ４で風呂温度（浴槽水の温度）を検知する。このように、浴槽水を循環させた後に風呂温度を検知することにより、浴槽水が均一に混ざり合った状態で検知できるので、風呂温度を正確に検知することが可能になる。
【００７６】
そして、ステップＳ１８０に進み、制御装置４０は、ステップＳ１７０で検知した風呂温度が風呂リモコン５１で設定されている設定温度未満であるか否かを判定する。制御装置４０は、風呂温度が設定温度未満であると判定した場合には（Ｓ１８０、Ｙｅｓ）、ステップＳ１９０に進み、風呂温度が設定温度未満でないと判定した場合には（Ｓ１８０、Ｎｏ）、ステップＳ２１０に進む。
【００７７】
ステップＳ１９０において、制御装置４０は、弁制御を実行する。すなわち、制御装置４０は、風呂戻り温度センサＴＳ４と追いだき温度センサＴＳ５で検知したそれぞれの温度により、風呂温度が設定温度になるように循環調整弁Ｖ４の開度を調整する。なお、循環調整弁Ｖ４の開度を調整するとは、風呂循環ポンプＰ２により取り込んだ浴槽水を、追いだき熱交換器３３に接続される配管３４ｄと、追いだき熱交換器３３をバイパスする配管３４ｆとに分配する流量を適宜調整することを意味している。
【００７８】
そして、ステップＳ２００に進み、制御装置４０は、風呂温度が設定温度（例えば、設定温度と同じ）であるか否かを判定する。なお、このときの風呂温度は、風呂戻り温度センサＴＳ４によって検知する。ステップＳ２００において、制御装置４０は、風呂温度が設定温度でないと判定した場合には（Ｎｏ）、ステップＳ２００の処理を繰り返し、風呂温度が設定温度であると判定した場合には（Ｙｅｓ）、ステップＳ２１０に進み、風呂循環ポンプＰ２をＯＦＦ（停止）する。
【００７９】
また、ステップＳ１８０において、制御装置４０は、風呂温度が設定温度未満でないと判定した場合には（Ｎｏ）、ステップＳ２１０に進み、弁制御（Ｓ１９０）を実行することなく、風呂循環ポンプＰ２をＯＦＦ（停止）して、リターンする。
【００８０】
なお、Ｓ１６０〜Ｓ２１０の一連の処理が実行された場合には（弁制御が実行された場合と実行されない場合を含む）、風呂リモコン５１に設定されている所定時間Ｔに基づいて保温運転を継続する。また、保温運転中に、ふろ自動ボタン５３ｂがＯＦＦにされた場合には、直ちに保温運転を終了する。
【００８１】
また、ステップＳ１１０において風呂リモコン５１に初期値として設定される所定時間Ｔを可変にする構成を給湯機１に追加してもよい。すなわち、このときの所定時間Ｔは、設定温度と追いだき運転開始時に検出した風呂戻り温度により算出される。このように、季節や地域など風呂温度が低下し易い度合に応じて、所定時間Ｔを可変に（風呂温度が低下し難い場合には所定時間Ｔを長く）することにより、省エネに対応した保温運転を実行することができる。なお、初期の所定時間Ｔを常に同じ時間とする構成にしてもよく、所定時間Ｔを可変および同じする構成をユーザの好みにより適宜切り替えることが可能な構成を備えていてもよい。
【００８２】
このように、本実施形態の給湯機１では、次回の追いだき運転が開始されるまでの残り時間を表示部５４に表示させることで、ユーザ（給湯機１の利用者）が次回の追いだき運転がいつ作動するか否かを容易に判断することができるので、ユーザが入浴に最適なタイミングを判断することができ、ユーザに対する利便性を向上させることができる。
【００８３】
また、本実施形態の給湯機１では、通常の保温運転時において表示部５４に、次回の追いだき運転が開始されるまでの残り時間を表示させるだけではなく、図８に示すように、例えば、保温運転に不具合が発生したときの点検時（メンテナンス時）に、次回の追いだき運転が開始されるまでの残り時間を表示させるようにしてもよい。
【００８４】
これにより、メンテナンス業者が、保温運転が正常に動作しているか否かを確認するために、風呂リモコン５１に図８の画面を表示させて、追いだき運転が開始されるタイミングを確認することが可能となり、追いだき運転が開始されるまでの間に他のメンテナンス作業を行うことが可能になり、メンテナンス作業の効率化を図ることができ、メンテナンス業者に対する利便性を向上させることができる。
【００８５】
また、メンテナンス時に、次回の追いだき運転が開始されるまでの残り時間とともに、予め設定されている追いだき運転のインターバル時間を表示部５４に表示させることで（図８参照）、前回の追いだき運転の終了からの経過時間（例えば、インターバル時間−次回追いだきまでの時間＝６０分−４０分＝２０分）を確認することができ、経過時間での実際の浴槽水の温度と比較することで、追いだき運転の動作状況を判断することが可能になる。例えば、経過時間が短時間であるにも拘らず、浴槽６０の温度が低い場合には、追いだき運転に不具合が発生していると直ちに判断することができ、メンテナンス業者に対する利便性を向上させることができる。
【００８６】
また、メンテナンス時だけではなく、通常の保温運転時においても、次回の追いだき運転が開始されるまでの残り時間とともに、予め設定されている追いだき運転のインターバル時間を表示部５４に表示させることで（不図示）、ユーザが現在のインターバル時間を目で実際に確認することができるので、現在省エネ運転で動作していることを容易に判断することができ、ユーザに対する利便性を向上させることができる。
【００８７】
このように、風呂リモコン５１の表示部５４に、次回の追いだき運転が開始されるまでの残り時間を表示すること、また残り時間とインターバル時間を併記して表示することで、ユーザだけではなくメンテナンス業者にとっても利便性を向上させることが可能になる。
【００８８】
本発明は、前記した実施形態に限定されるものではなく、その趣旨を逸脱しない範囲において適宜その構成を変更することができるものである。例えば、本実施形態では、貯湯タンク１１内の湯（高温熱媒体）と水道管１４からの水とを給湯熱交換器１７にて熱交換して一般給湯を行う直圧式の給湯機１を例に挙げて説明したが、このような構成に限定されるものではなく、貯湯タンク１１内の湯と水道管１４からの水とを混合して、一般給湯を行う給湯機であってもよく、また貯湯タンク１１内の高温熱媒体と水道管１４からの水（低温水）とを熱交換して、一般給湯および浴槽給湯を行うタイプの給湯機であってもよい。
【００８９】
また、本実施形態では、貯湯タンク１１の上部１１ｃから取り出した湯（高温水）と水とを風呂混合弁Ｖ２で混合して浴槽給湯を行う場合について説明したが、これに限定されるものではなく、貯湯タンク１１の中間部に、中間取出部の配管を設けて、この中間取出部から取り出した貯湯タンク１１内の中温水と、貯湯タンク１１の上部から取り出した高温水とを第二の風呂混合弁で混合する構成を追加してもよい。なお、湯はり時において中温水を積極的に取り出して少なくすることで、ヒートポンプユニット３の効率（ＣＯＰ：Coefficient Of Performance）を向上させることができる。
【符号の説明】
【００９０】
１        給湯機
２        貯湯ユニット
３        ヒートポンプユニット（熱源機）
１１      貯湯タンク
１４      水道管
１７      給湯熱交換器
１８ａ，１８ｂ，１８ｃ，１８ｄ  配管
２０      一般給湯回路
３０      風呂給湯回路
３１      湯はり回路（湯はり手段）
３２      追いだき回路（保温手段）
３１ａ，３１ｂ，３１ｃ，３１ｄ，３１ｅ，３１ｆ  配管
３３      追いだき熱交換器
３４ａ，３４ｂ，３４ｃ，３４ｄ，３４ｅ，３４ｆ  配管
４０      制御装置（湯はり手段、保温手段）
５０      リモートコントローラ
５１      風呂リモコン
５２      台所リモコン
５３      操作部（操作手段）
５４      表示部
６０      浴槽（浴槽端末）
ＦＳ１    給湯流量センサ
ＦＳ２    風呂流量センサ
ＦＳＷ    水流スイッチ
ＬＳ      水位センサ
Ｐ１      給湯循環ポンプ
Ｐ２      風呂循環ポンプ
ＴＳ１    給水温度センサ
ＴＳ２    タンク温度センサ
ＴＳ３    給湯温度センサ
ＴＳ４    風呂戻り温度センサ
ＴＳ５    追いだき温度センサ
Ｖ１      減圧弁
Ｖ２      風呂混合弁
Ｖ３      風呂電磁弁
Ｖ４      循環調整弁
【図１】
2014074575.tif 000003
【図２】
2014074575.tif 000004
【図３】
2014074575.tif 000005
【図４】
2014074575.tif 000006
【図５】
2014074575.tif 000007
【図６】
2014074575.tif 000008
【図７】
2014074575.tif 000009
【図８】
2014074575.tif 000010